(57)【要約】  デュワーの開口部を部分的に密閉する、蒸気プラグなどの、方法、装置、およびデバイス。蒸気プラグが蒸気プラグカバーを有する。蒸気プラグカバーが、デュワーの開口部を覆うように構成される。蒸気プラグが、複数のディスクおよび複数のシートから形成されるネックを有する。蒸気プラグが、複数のディスク、複数のシート、および蒸気プラグカバーを接続する固定具を有する。【選択図】図１Ａ
2021529914.tif 000002
【特許請求の範囲】
【請求項１】
コンテナの開口部を覆うように構成される蒸気プラグカバーと、
複数のディスクおよび複数のシートから形成されるネックと、
前記複数のディスク、前記複数のシート、および前記蒸気プラグカバーを接続する固定具と、を備える蒸気プラグ。
【請求項２】
前記複数のシートが、前記ネックから外側に延在する複数の突出部を形成し、前記複数の突出部が、デュワーから漏れる気体または液体を遮断するように構成され、前記デュワーの中の前記気体または液体の消失を低減する、請求項１に記載の蒸気プラグ。
【請求項３】
前記複数の突出部の各突出部がフィンである、請求項２に記載の蒸気プラグ。
【請求項４】
前記複数のディスクの各ディスクが頂部表面および底部表面を有し、前記頂部表面がディンプルを有し、前記底部表面が空洞を有し、前記ディンプルの形状が前記空洞の形状に対応する、請求項１に記載の蒸気プラグ。
【請求項５】
前記複数のディスクが第１のディスクおよび第２のディスクを有し、前記第１のディスクの前記ディンプルが前記第２のディスクの前記空洞にインターロックされる、請求項４に記載の蒸気プラグ。
【請求項６】
蒸気プラグカバーが、前記固定具を受けるように構成される凹部を有し、前記固定具が、前記複数のディスクの各ディスクの中にあるおよび前記複数のシートの各シートの中にある開口部を通して、前記蒸気プラグカバーの前記凹部に挿入されるように構成されるピンを有し、それにより前記複数のディスクおよび前記複数のシートを前記蒸気プラグカバーに接続する、請求項１に記載の蒸気プラグ。
【請求項７】
前記固定具がプッシュナットおよびプレートを有し、前記プレートが前記ネックの端部に配置され、前記蒸気プラグカバーの反対側にあり、前記複数のディスクおよび前記複数のシートが、前記蒸気プラグカバーと前記プレートとの間に配置され、前記ピンのヘッドが、前記プレートと前記蒸気プラグカバーとの間で前記複数のディスクおよび前記複数のシートを保持するために前記プッシュナットおよびプレートを押圧するように構成される、請求項６に記載の蒸気プラグ。
【請求項８】
前記ネックが熱電対チャネルを有する、請求項１に記載の蒸気プラグ。
【請求項９】
前記複数のディスクの各ディスクがチャネルを有し、各ディスクの前記チャネルが、前記複数のディスクにより前記ネックを形成するときに前記ネックの前記熱電対チャネルを形成するために前記複数のディスクの他のディスクの前記チャネルに位置合わせされる、請求項８に記載の蒸気プラグ。
【請求項１０】
前記複数のディスクの各ディスクおよび前記複数のシートの各シートが、前記複数のディスクおよび前記複数のシートを前記蒸気プラグカバーに接続するために前記固定具を受けるように構成される中央円筒形開口部を有する、請求項１に記載の蒸気プラグ。
【請求項１１】
前記複数のディスクがポリスチレン材料から作られ、前記複数のシートがタイベックから形成される、請求項１に記載の蒸気プラグ。
【請求項１２】
内側容器および外側容器を有するデュワーと、
蒸気プラグであって、前記蒸気プラグと前記内側容器との間に隙間を存在させるように前記デュワーの前記内側容器の中に配置される、蒸気プラグと、を備え、
前記蒸気プラグは、
デュワーの開口部を覆うように構成される蒸気プラグカバーと、
複数のディスクおよび複数のシートから形成されるネックであって、前記ネックが熱電対チャネルを有する、ネックと、
前記複数のディスク、前記複数のシート、および前記蒸気プラグカバーを接続する固定具と、を有する、低温保管又は移送システム。
【請求項１３】
前記ネックが円筒形形状であり、前記複数のディスクおよび前記複数のシートが円筒形形状であり、複数のシートの各シートの外径が前記複数のディスクの各ディスクの外径より大きく、それにより前記デュワーの前記内側容器の中に複数の突出部を形成する、請求項１２に記載の低温保管又は移送システム。
【請求項１４】
前記固定具が各ディスクの中の中央開口部および各シートの中の中央開口部を通して前記蒸気プラグカバーの凹部に挿入され、それにより各ディスク、各シート、および前記蒸気プラグカバーを相互接続する、請求項１３に記載の低温保管又は移送システム。
【請求項１５】
前記固定具がプッシュナットおよびセントラルピンを有し、前記セントラルピンが前記複数のディスクの各ディスクの中の開口部および前記複数のシートの各シートの中の開口部に挿入され、前記複数のディスクおよび前記複数のシートがプレートと前記蒸気プラグカバーとの間に配置され、前記セントラルピンがプッシュナットおよび前記プレートに挿入され、それにより前記プレートと前記蒸気プラグカバーとの間で前記複数のシートおよび前記複数のディスクを保持する、請求項１３に記載の低温保管又は移送システム。
【請求項１６】
蒸気プラグであって、
デュワーの開口部を覆うように構成される蒸気プラグカバーと、
複数のディスクと、
複数のシートであって、前記複数のシートの各シートが前記複数のディスクのうちの２つのディスクの間に挟まれる、複数のシートと、
前記蒸気プラグ、前記複数のディスク、および前記複数のシートを接続するように構成される固定具と、を備える蒸気プラグ。
【請求項１７】
前記複数のシートの各シートが、前記複数のディスクから離れるように突出して前記デュワーの中での気体の消失を低減するように構成されるフィンを形成する、請求項１６に記載の蒸気プラグ。
【請求項１８】
前記複数のディスクがポリスチレン材料から形成される、請求項１６に記載の蒸気プラグ。
【請求項１９】
前記蒸気プラグカバーが、前記固定具を受けるように構成される凹部を有し、前記固定具が、前記複数のディスクの各ディスクの中にあるおよび前記複数のシートの各シートの中にある開口部を通して、前記蒸気プラグカバーの前記凹部に挿入されるように構成されるセントラルピンを有し、それにより前記複数のディスクおよび前記複数のシートを前記蒸気プラグカバーに接続する、請求項１６に記載の蒸気プラグ。
【請求項２０】
前記複数のディスクが第１のディスクおよび第２のディスクを含み、前記第１のディスクのディンプルが前記第２のディスクの凹部にインターロックされる、請求項１６に記載の蒸気プラグ。
【発明の詳細な説明】
【技術分野】
【０００１】
（関連出願の相互参照）
[0001]本出願は、参照によりその全体が本明細書に組み込まれている、２０１８年７月２日に出願した、「ＳＥＧＭＥＮＴＥＤ  ＶＡＰＯＲ  ＰＬＵＧ」と題する、米国特許出願第１６／０２５，８１１号の優先権を主張するものである。
[0003]本明細書は、低温下で液体または気体を保管および／または移送する低温デバイスを塞ぐかまたは部分的に密閉するためのシステム、デバイス、または装置に関する。
【背景技術】
【０００２】
[0005]実験技術者、科学者、医者または看護師などの医療専門家、あるいは他の技術者は、低温（ｃｒｙｏｇｅｎｉｃ  ｔｅｍｐｅｒａｔｕｒｅ）において、物質を保管し、病院、研究所、および研究施設などの、様々な施設まで物質を移送する場合がある。低温で物質を移送する場合、技術者および／または専門家は乾燥蒸気運搬装置（ｄｒｙ  ｖａｐｏｒ  ｓｈｉｐｐｅｒ）内で物質を保管する。乾燥蒸気運搬装置は、物質を移送するのに使用される真空隔離コンテナである。乾燥蒸気運搬装置が、薄壁ネックチューブを備える内側容器および外側容器を有するデュワーである可能性がある。内側容器の内壁が、液体または気体などの吸収性物質を有する可能性がある。蒸気プラグが、デュワーの開口部を部分的に密閉するための栓のように機能することができる。
【０００３】
[0006]蒸気プラグが液体または気体が漏れるのを可能にするように開口部を部分的に密閉し、その結果、デュワー内部の圧力が増大せず、爆発を引き起こさない。気体または液体が漏れると、温かい空気がデュワー内に吸い入れられ、それにより気体または液体のさらなる消失を引き起こす可能性がある。
【発明の概要】
【発明が解決しようとする課題】
【０００４】
[0007]したがって、デュワー内の圧力を均等化しながら気体または液体の消失を低減するシステム、デバイス、または装置が必要とされる。
【課題を解決するための手段】
【０００５】
[0008]概して、本明細書で説明される本主題の一態様が蒸気プラグ内で具現化される。蒸気プラグが、デュワーなどのコンテナの開口部を覆うように構成される蒸気プラグカバーを有する。蒸気プラグが、複数のディスクおよび複数のシートから形成されるネックを有する。蒸気プラグが、複数のディスク、複数のシート、および蒸気プラグカバーを接続する固定具を有する。
【０００６】
[0009]これらのおよび他の実施形態が、任意選択で、以下の特徴のうちの１つまたは複数の特徴を含むことができる。複数のシートが、ネックから外側に延在する複数の突出部を形成することができる。複数の突出部が、デュワーから漏れる気体または液体を遮断するように構成され得る。複数の突出部がデュワー内の気体または液体の消失を低減することができる。複数の突出部の各突出部がフィンであってもよい。
【０００７】
[0010]複数のディスクの各ディスクが頂部表面および底部表面を有することができる。頂部表面がディンプルを有することができ、底部表面が空洞を有することができる。ディンプルの形状が空洞の形状に対応していてよい。複数のディスクが第１のディスクおよび第２のディスクを含むことができる。第１のディスクのディンプルが第２のディスクの空洞にインターロックされ得る。
【０００８】
[0011]蒸気プラグカバーが、固定具を受けるように構成される凹部を有することができる。固定具が、蒸気プラグカバーの凹部に挿入されるように構成されるピンを有することができる。ピンが各ディスク内にあるおよび各シート内にある開口部を通して挿入され、それにより複数のディスクおよび複数のシートを蒸気プラグカバーに接続する。固定具がプッシュナットおよびプレートを有することができる。プレートがネックの端部に配置され得、蒸気プラグカバーの反対側にあってよい。複数のディスクおよび複数のシートが蒸気プラグカバーとプレートとの間に配置され得る。ピンのヘッドが、プレートと蒸気プラグカバーとの間で複数のディスクおよび複数のシートを保持するためにプッシュナットおよびプレートを押圧するように構成され得る。
【０００９】
[0012]ネックが熱電対チャネル（ｔｈｅｒｍｏｃｏｕｐｌｅ  ｃｈａｎｎｅｌ）を有することができる。各ディスクが、複数のディスクによりネックを形成するときにネックの熱電対チャネルを形成するために他のディスクのチャネル（ｃｈａｎｎｅｌ）に位置合わせされるチャネルを有することができる。複数のディスクがポリスチレン材料から作られてよく、複数のシートがタイベック（登録商標：Ｔｙｖｅｋ）から形成され得る。
【００１０】
[0013]別の態様で、本主題が、低温保管又は移送システム内で具現化される。低温保管又は移送システムが、内側容器および外側容器を有するデュワーを有する。低温保管又は移送システムが、蒸気プラグと内側容器との間に隙間を存在させるようにデュワーの内側容器内に配置される蒸気プラグを有する。蒸気プラグが、デュワーの開口部を覆うように構成される蒸気プラグカバーと、複数のディスクおよび複数のシートから形成されるネックとを有する。ネックが熱電対チャネルを有する。蒸気プラグが、複数のディスク、複数のシート、および蒸気プラグカバーを接続する固定具を有する。
【００１１】
[0014]別の態様で、本主題が蒸気プラグ内で具現化される。蒸気プラグが、デュワーの開口部を覆うように構成される蒸気プラグカバーを有する。蒸気プラグが複数のディスクおよび複数のシートを有する。複数のシートの各シートが２つのディスクの間に挟まれる。蒸気プラグが、蒸気プラグ、複数のディスク、および複数のシートを接続するように構成される固定具を有する。
【００１２】
[0015]以下の図および詳細な記述の説明により、本発明の他のシステム、方法、特徴、および利点が当業者には明らかとなる。図面に示される構成要素部品は必ずしも正確な縮尺ではなく、本発明の重要な特徴をより良好に示すために誇張されている可能性がある。
【図面の簡単な説明】
【００１３】
【図１Ａ】[0016]図１Ａは、本発明の態様による例示のセグメント化された蒸気プラグを示す図である。
【図１Ｂ】[0017]図１Ｂは、本発明の態様による図１のセグメント化された蒸気プラグを示す断面図である。
【図２】[0018]本発明の態様による、デュワーに挿入された図１のセグメント化された蒸気プラグの実施例を示す図である。
【図３Ａ】[0019]図３Ａは、本発明の態様による図１のセグメント化された蒸気プラグの例示のディスクを示す上面斜視図である。
【図３Ｂ】[0020]図３Ｂは、本発明の態様による図１のセグメント化された蒸気プラグの例示のディスクを示す底面斜視図である。
【図４】[0021]本発明の態様による図１のセグメント化された蒸気プラグの突出部を形成する例示のシートを示す図である。
【図５】[0022]本発明の態様による図１のセグメント化された蒸気プラグの種々の構成要素を相互接続する例示のセンターピンを示す図である。
【図６】[0023]本発明の態様による図１のセグメント化された蒸気プラグの種々の構成要素を相互接続する例示のチューブを示す図である。
【発明を実施するための形態】
【００１４】
[0024]本明細書では、デュワーなどのコンテナの内側容器を部分的に密閉するためのシステム、装置、およびデバイスが開示される。デュワーが、低温で物品を移送するのに使用される二重壁の真空隔離コンテナであってよい。デュワーが、吸収性物質で覆われる内壁と、外壁とを有することができ、それにより内側容器および外側容器を形成する。デュワーの内側容器がネック部分を有することができる。ネック部分が、物質を受け取って内側容器内で物質を保管する開口部を有することができる。吸収性物質が液体または気体であってよい。
【００１５】
[0025]セグメント化された蒸気プラグが、開口部を部分的に密閉して消失する液体または気体の量を低減するための栓のように機能することができ、他方でさらにデュワー内の圧力を均等化し、その結果、デュワー内の圧力が増大しない。消失する液体または気体の量を低減することにより、セグメント化された蒸気プラグがさらに、消失した液体または気体に取って代わるように引き入れられる温かい空気の量を最小にし、それによりデュワーが低温度を維持することができる時間を延ばす。
【００１６】
[0026]１つまたは複数の可撓性フィンを有するセグメント化された蒸気プラグの他の利益および利点。可撓性フィンを有することにより、セグメント化された蒸気プラグが、デュワーの内側容器内の環境条件に合うように適合される。例えば、可撓性フィンが湾曲することができ、それにより、内側容器内の圧力が増大する場合に圧力を均等化することが可能となる。圧力が均等化されると、可撓性フィンが、入ってくる温かい空気が内側容器に充満しないようにするためにその速度を下げるゲートとして機能することができる。それにより内側容器内の全体としての液体または気体の消失を低減し、デュワーが低温度を維持することができる時間を延ばす。
【００１７】
[0027]図１Ａ〜１Ｂが、本発明の一態様によるセグメント化さえた蒸気プラグ１００を示す。図１Ａが、セグメント化された蒸気プラグ１００の外観図を示す。図１Ｂが、セグメント化された蒸気プラグ１００の断面図を示す。セグメント化された蒸気プラグ１００が、デュワー２０２の開口部にセグメント化された蒸気プラグ１００が挿入されるときのデュワー２０２内の液体または気体の消失を低減する。セグメント化された蒸気プラグ１００がデュワー２０２を部分的に密閉することができる。つまり、セグメント化された蒸気プラグ１００がデュワー２０２内の圧力を均等化するために液体または気体がデュワー２０２から漏れるのを可能にするが、同時に、漏れる液体または気体を遮断することができ、ならびに／あるいは消失を防止するためにおよびデュワー２０２に温かい空気が入るのを防止するために漏れる液体または気体の量を低減することができる。これにより、デュワー２０２内に保管される物質の継続的な低温保管を可能にするためにデュワー２０２内で低温度が維持される。
【００１８】
[0028]本発明の一態様で、セグメント化された蒸気プラグ１００が取り外し可能である。具体的には、セグメント化された蒸気プラグ１００がデュワー２０２の開口部に挿入され得、それによりデュワー２０２の空洞を部分的に密閉し、および／またはデュワー２０２の空洞へのアクセスを制限する。セグメント化された蒸気プラグ１００がデュワー２０２の空洞から取り外され得、それにより液体および／または気体がデュワー２０２の空洞から漏れるのを可能にする。
【００１９】
[0029]セグメント化された蒸気プラグ１００が、単一の構成要素、蒸気プラグカバー１０２およびネック１０４などの相互接続される複数の構成要素、または分離した構成要素、から作られ得る。本発明の一態様では、セグメント化された蒸気プラグ１００が一体の相互接続された部片であり、セグメント化された蒸気プラグ１００が、例えば図１Ａ〜１Ｂに示されるように、１つまたは複数のシート１１２ａ〜ｄに相互接続される１つまたは複数のディスク１１６ａ〜ｅ、または他の同様のデバイスを有するネック１０４を有することができる。セグメント化された蒸気プラグ１００が、プレート１０６、熱電対チャネル１１４、および／または固定具を有することができる。固定具が、ナット１０８、チューブ６０２、および／またはセントラルピン５０２を有することができる。セグメント化された蒸気プラグ１００が、異なる部片または構成要素を相互接続するのに固定具または他の固定デバイスを使用することができる。本発明の他の態様では、セグメント化された蒸気プラグ１００が、相互接続されない複数の部片を有することができる。
【００２０】
[0030]セグメント化された蒸気プラグ１００が蒸気プラグカバー１０２を有する。蒸気プラグカバー１０２が円形状または別の多角形形状であってよい。蒸気プラグカバー１０２が、例えば図２に示されるように、セグメント化された蒸気プラグ１００を取り外すためにおよび／またはデュワー２０２の空洞を部分的に密閉する場合にはセグメント化された蒸気プラグ１００をデュワー２０２の開口部に挿入するために、容易にアクセスするのを可能にするためのハンドルを有することができる。蒸気プラグカバー１０２がポリマー材料から作られ得る。これにより蒸気プラグカバー１０２が低温度に耐えることが可能となり、その結果、蒸気プラグカバー１０２が低温に晒されるときに脆弱性を原因として粉々に割れることがなくなる。
【００２１】
[0031]蒸気プラグカバー１０２が、セグメント化された蒸気プラグ１００をデュワー２０２から取り外すのをおよび／またはセグメント化された蒸気プラグ１００をデュワー２０２に挿入するのを補助するための多様な他の特徴を有することができる。多様な特徴にはカバー突出部１１８が含まれてよい。リップ１２４などの他の特徴が、デュワー２０２内の圧力を均等化するために気体または液体が漏れるのを可能にしながらデュワー２０２を部分的に密閉するのを補助することができる。
【００２２】
[0032]カバー突出部１１８が蒸気プラグカバー１０２の縁部に配置され得、開口部を有することができる。カバー突出部１１８の開口部が、ラニヤード（ｌａｎｙａｒｄ）、ロープ、ワイヤ、または他の固定デバイスなどの、固定デバイスを受けることができる。固定デバイスが開口部に挿入され得る。固定デバイスが、開口部を通してカバー突出部１１８に接続されると、セグメント化された蒸気プラグ１００を、容易に、運ぶのを、固着するのを、および／または取り外すのを可能にする。
【００２３】
[0033]リップ１２４が蒸気プラグカバー１０２の縁部に配置され得、ネック１０４から離れるように外側に角度をつけられていてよい。これにより蒸気プラグカバー１０２のリップ１２４とネック１０４との間に隙間が作られ、それにより、セグメント化された蒸気プラグ１００がデュワー２０２の開口部に挿入されている場合に、液体または気体が漏れることが可能となり、デュワー２０２内の圧力の均等化を促進することが可能となる。さらに、リップ１２４が開口部を部分的に覆うことができ、したがってデュワー２０２内の液体または気体の消失を遮断することができる。
【００２４】
[0034]蒸気プラグカバー１０２が外側表面１２０および内側表面１２２を有する。本発明の一態様では、蒸気プラグカバー１０２が、蒸気プラグカバー１０２を他の構成要素に相互接続して一体の相互接続された部品を形成することを目的として、固定具に接続される凹部または他のインターフェースを有する。例えば、蒸気プラグカバー１０２が内側表面１２２内に凹部１２６を有することができる。凹部１２６が蒸気プラグカバー１０２の周縁部を基準として中央に位置していてよい。凹部１２６が、複数のディスク１１６ａ〜ｅおよび１つまたは複数のシート１１２ａ〜ｄを相互接続してネック１０４を形成する固定具を受けることができる。
【００２５】
[0035]本発明の一態様では、ネック１０４が蒸気プラグカバー１０２に相互接続され、それにより一体の相互接続された部片を形成する。例えば、ネック１０４が固定具を介して蒸気プラグカバー１０２の内側表面１２２に接続され得る。ネック１０４が円筒形として形作られ得、ポリスチレン材料、独立気泡のフェノール樹脂フォーム（ｃｌｏｓｅｄ−ｃｅｌｌ  ｐｈｅｎｏｌｉｃ  ｆｏａｍ）、または他のインシュレータ（ｉｎｓｕｌａｔｏｒ）から作られ得、開口部またはネック部分２０６の内径より小さい外径を有することができる。隙間またはクリアランスが、内側容器２０４の空洞から気体または液体が漏れるのを可能にする。
【００２６】
[0036]デュワー２０２が内側容器２０４および外側容器２０８を有することができる。内側容器２０４と外側容器２０８との間の隙間が真空隔離され得る。デュワー２０２が、ネック部分２０６および内側容器２０４の空洞に繋がる開口部２１０を有することができる。ネック部分２０６および開口部２１０が、セグメント化された蒸気プラグ１００のネック１０４の外径より大きい内径を有することができ、それによりネック部分２０６および／または開口部２１０がネック１０４を受けてネック１０４とデュワー２０２の内側容器２０４のネック部分２０６との間の隙間を維持する。隙間が約０．２５インチであってよい。この隙間が、圧力の増大時にデュワー２０２内の圧力を均等化するために内側容器２０４の空洞から気体または液体が漏れるのを可能にする。
【００２７】
[0037]本発明の一態様では、ネック１０４が、デュワー２０２内で気体または液体を部分的に密閉するのを補助するための多様なディスクまたは他の同様のデバイスから構成され得る。他の同様のデバイスには１つまたは複数のシート１１２ａ〜ｄが含まれてよい。１つまたは複数のディスク１１６ａ〜ｅおよび／または１つまたは複数のシート１１２ａ〜ｄが円筒形または他の三次元ポリゴンとして形作られ得る。１つまたは複数のディスク１１６ａ〜ｅが、１つまたは複数のシート１１２ａ〜ｄに相互接続されるとき、ネック１０４を形成することができる。
【００２８】
[0038]図３Ａおよび３Ｂが、ネック１０４を形成するのに使用され得る１つまたは複数のディスク１１６ａ〜ｅのうちの１つのディスクの上面斜視図および底面斜視図を示す。１つまたは複数のディスク１１６ａ〜ｅの各ディスクが約１インチの厚さであってよく、ポリスチレン材料から作られ得る。本発明の種々の態様で、１つまたは複数のディスク１１６ａ〜ｅおよび１つまたは複数のシート１１２ａ〜ｄが、１つまたは複数のディスク１１６ａ〜ｅおよび１つまたは複数のシート１１２ａ〜ｄを相互接続するためのおよび／またはロックするための、開口部、窪み部分、突出部分、または他の特徴を有する。
【００２９】
[0039]本発明の一態様では、１つまたは複数のディスク１１６ａ〜ｅの各ディスクが、頂部表面３０８、底部表面３１０、および１つまたは複数のディスク１１６ａ〜ｅの間の接続を可能にするセントラルディスク開口部３０６または他の特徴を有する。例えば、セントラルディスク開口部３０６が、セントラルディスク開口部３０６を通るように固定具が挿入されるときに固定具により１つまたは複数のディスク１１６ａ〜ｅを相互接続するのを可能にする。突出部分３０２および空洞３０４などの他の特徴が、１つまたは複数のディスク１１６ａ〜ｅを相互接続するのを補助することができる。例えば、頂部表面３０８が、頂部表面３０８から外側に突出する突出部分３０２を有することができる。底部表面３１０が底部表面３１０内に突出部分用の空洞３０４を有することができる。いくつかの実装形態では、頂部表面３０８が突出部分用の空洞３０４を有し、底部表面が突出部分３０２を有する。１つまたは複数のディスク１１６ａ〜ｅが、相互接続のために、異なる特徴の組合せを使用することができる。
【００３０】
[0040]１つのディスクの突出部分３０２が別のディスクの突出部分用の空洞３０４に相互接続されてインターロックされ得る。突出部分３０２がディンプルまたは他の突出部として形作られ得る。突出部分用の空洞３０４が、突出部分３０２の形状に対応する形状を有する、窪み部分、凹部、または他の空洞であってよい。
【００３１】
[0041]第１のディスクの突出部分３０２が第１のディスクの頂部表面３０８にある場合、突出部分３０２が、第１のディスクの上方にまたは上に配置される第２のディスクの底部表面３１０内にある突出部分用の空洞３０４に相互接続される。第１のディスクの突出部分３０２が、第１のディスクと第２のディスクとの間にあるシートの突出部分用の開口部４０４を通して第２のディスクの突出部分用の空洞３０４にロックされ得る。第１のディスクの突出部分３０２が第１のディスクの底部表面３１０にある場合に、突出部分３０２が、突出部分用の開口部４０４を介して、第２のディスクの頂部表面３０８内にある突出部分用の空洞３０４に相互接続される。
【００３２】
[0042]本発明の一態様では、セグメント化された蒸気プラグ１００が、熱電対のリード線がデュワー２０２から出るのを可能にする熱電対チャネル１１４を有する。熱電対が、デュワー２０２内の温度を測定および／または監視して、温度をスマートデータロガーなどの別の電子デバイスに提供することができる電子デバイスまたは電子センサであってよい。各ディスクがディスクチャネル３１２を有することができ、その結果、１つまたは複数のディスク１１６ａ〜ｅが位置合わせされて相互接続されて熱電対チャネル１１４を形成する。例えば、ディスクチャネル３１２が熱電対リード線の一部分が受けられるのを可能にする。１つまたは複数のディスク１１６ａ〜ｅおよび１つまたは複数のシート１１２ａ〜ｄが位置合わせされて相互接続されてネック１０４を形成するとき、１つまたは複数のディスク１１６ａ〜ｅの１つまたは複数のディスクチャネル３１２が位置合わせされて熱電対チャネル１１４を形成する。熱電対チャネル１１４が、デュワー２０２に熱電対が挿入されるときにネック１０４の面から熱電対リード線を実質的に突出させないように、熱電対のリード線を受けるのを可能にする。つまり、熱電対のリード線が実質的にネック１０４の表面の面内に入れられ得、および／またはネック１０４の表面の面を乱さない。
【００３３】
[0043]デュワー２０２を部分的に密閉するのを補助するセグメント化された蒸気プラグ１００の他の同様のデバイスには、１つまたは複数のシート１１２ａ〜ｄが含まれる。１つまたは複数のシート１１２ａ〜ｄが、固定具を使用して１つまたは複数のディスク１１６ａ〜ｅに相互接続され得、それによりネック１０４を形成する。各シートが約０．００５インチの厚さであってよい。いくつかの実装形態では、１つまたは複数のシート１１２および１つまたは複数のディスク１１６ａ〜ｅが、接着剤を使用して一体に接着され、それによりネック１０４を形成する。他の実装形態では、１つまたは複数のシート１１２および１つまたは複数のディスク１１６ａ〜ｅが一体に成形されてネック１０４を形成する。
【００３４】
[0044]１つまたは複数のシート１１２ａ〜ｄの各シートが、１つまたは複数のディスク１１６ａ〜ｅのうちの２つのディスクの間に位置していてよく、つまり配置され得るか、あるいは種々の他の構成として位置していてよく、つまり配置され得、それによりネック１０４を形成する。例えば、シート１１２ａがディスク１１６ａとディスク１１６ｂとの間に配置され、シート１１２ｂがディスク１１６ｂとディスク１１６ｃとの間に配置され、および／またはシート１１２ｃがディスク１１６ｃとディスク１１６ｄとの間に配置され、シート１１２ｄがディスク１１６ｅとディスク１１６ｆとの間に配置される。別の実施例では、１つまたは複数のシート１１２ａ〜ｄが、１つまたは複数のディスク１１６ａ〜ｅの間で異なる順番で配置されてもよい。
【００３５】
[0045]１つまたは複数のシート１１２ａ〜ｄがタイベック（Ｔｙｖｅｋ）などの可撓性材料から作られ得る。１つまたは複数のシート１１２ａ〜ｄが、１つまたは複数のディスク１１６ａ〜ｅの直径より大きい直径を有する。１つまたは複数のシート１１２ａ〜ｄの外側縁部がデュワー２０２の内側容器のネック部分２０６の内径に接触することができる。１つまたは複数のシート１１２ａ〜ｄが１つまたは複数のディスク１１６ａ〜ｅの直径より大きい直径を有することを理由として、１つまたは複数のシート１１２の各々の外側縁部が１つまたは複数のディスク１１６ａ〜ｅの円周縁部から離れるように外側に突出していてよい。
【００３６】
[0046]１つまたは複数のシート１１２の外側縁部が突出する場合、１つまたは複数のシート１１２の外側縁部が、ネック１０４の長さに沿って１つまたは複数の突出部またはフィンを形成することができる。１つまたは複数のシートが可撓性材料から作られる得ることを理由として、１つまたは複数のシート１１２の外側縁部つまり１つまたは複数のフィンが可撓性となり得る。デュワー２０２の空洞内の圧力が増大すると、１つまたは複数のシート１１２の突出している部分が湾曲することができ、それにより圧力を均等化するのを可能にする。１つまたは複数のシート１１２の突出している部分がデュワー２０２の内側容器２０４のネック部分２０６に接触することができる。突出している部分が、デュワー２０２の空洞内に保管される液体または気体の消失を低減または防止する伝熱性バリア（ｃｏｎｄｕｃｔｉｖｅ  ｂａｒｒｉｅｒ）または伝熱性ゲート（ｃｏｎｄｕｃｔｉｖｅ  ｇａｔｅ）として機能することができる。例えば、デュワー２０２が傾斜させられると、突出している部分が、デュワーの空洞内に保管される液体または気体が伝熱的に流れるのを阻害することができ、それにより液体または気体の消失および／または漏れを防止する。さらに、突出している部分が、入ってくる温かい空気がデュワー２０２の内側容器の空洞に充満するのを低減または防止することができる。
【００３７】
[0047]１つまたは複数のシート１１２ａ〜ｄの各々が、例えば図４に示されるように、固定具用の開口部４０２および突出部分用の開口部４０４を有することができるか、１つまたは複数のディスク１１６ａ〜ｅおよび１つまたは複数のシート１１２ａ〜ｄを相互接続するのを補助する他の特徴を有することができる。固定具用の開口部４０２が、各々の１つまたは複数のシート１１２ａ〜ｄの中央に位置してよい。固定具用の開口部４０２が、蒸気プラグカバー１０２とプレート１０６との間で１つまたは複数のディスク１１６ａ〜ｅおよび１つまたは複数のシート１１２ａ〜ｄを相互接続するために固定具を挿入するのを可能にすることができる。シート１１２ａなどのシートの突出部分用の開口部４０４が、ディスク１１６ａなどの第１のディスクの突出部分３０２がディスク１１６ｂなどの第２のディスクの突出部分用の空洞３０４にインターロックされて２つのディスク１１６ａ〜ｂの間にシート１１２ａを挟む形で２つのディスク１１６ａ〜ｂを一体にロックして位置合わせするのを可能にする。１つのディスクの突出部分３０２がシートの突出部分用の開口部４０４を通して別のディスクの突出部分用の空洞３０４内に挿入され、それにより２つのディスクおよびシートをインターロックする。突出部分用の開口部４０４が、円形、角を有する形状（ａｎｇｕｌａｒ  ｓｈａｐｅ）、または他の多角形形状であってよく、それによりディンプルまたは他の突出部などの突出部分３０２を突出部分用の空洞３０４にインターロックさせるのを可能にする。
【００３８】
[0048]セグメント化された蒸気プラグ１００が、ネック１０４を形成する構成要素を定位置で保持するための、プレート１０６、固定具、または他のデバイスを有することができる。例えば、プレート１０６が、デュワー２０２のネック部分２０６内に挿入されたセグメント化された蒸気プラグ１００の底部に配置され得る。プレート１０６が、蒸気プラグカバー１０２に接続される固定具の端部の反対側にある固定具の一方の端部にあってよい。プレート１０６と蒸気プラグカバー１０２との間に、１つまたは複数のディスク１１６ａ〜ｅおよび１つまたは複数のシート１１２ａ〜ｄが存在する。プレート１０６が、ディスクの形状などの、円形形状であってよく、ナイロンから作られ得る。プレート１０６が、プレート１０６の中央に位置するプレート開口部を有することができる。
【００３９】
[0049]プレート１０６、１つまたは複数のディスク１１６ａ〜ｅ、１つまたは複数のシート１１２ａ〜ｄ、および蒸気プラグカバーの凹部１２６が位置合わせされると、固定具が、プレート１０６のプレート開口部および１つまたは複数のシート１１２ａ〜ｄの複数の固定具用の開口部４０２、ならびに１つまたは複数のディスク１１６ａ〜ｅの１つまたは複数のセントラルディスク開口部３０６を通して挿入され得、蒸気プラグカバー１０２の凹部１２６内で受けられる。固定具が、プレート１０６、１つまたは複数のシート１１２ａ〜ｄ、１つまたは複数のディスク１１６ａ〜ｅ、および蒸気プラグカバー１０２を相互接続する。
【００４０】
[0050]固定具がナット１０８および／またはセントラルピン５０２を有することができる。セントラルピン５０２が、シート、ディスク、ナット、および／またはプレートの１つまたは複数の開口部の各々に挿入され得る。シート、ディスク、ナット、および／またはプレートがセントラルピン５０２または他のコネクタの挿入のために位置合わせされるとき、１つまたは複数の開口部が通路１１０を形成する。セントラルピン５０２が、プレート１０６に接触するように配置され得るプッシュナットなどのナット１０８の開口部内に挿入され得る。セントラルピン５０２が、１つまたは複数のシート１１２ａ〜ｄおよび１つまたは複数のディスク１１６ａ〜ｅを定位置で保持してネック１０４を形成することを目的として、プレート１０６を押圧するためにナット１０８に力を作用させる。ナット１０８が、セントラルピン５０２のヘッドとプレート１０６との間にインターフェースを提供する。セントラルピン５０２が、プレート１０６と蒸気プラグカバー１０２との間で１つまたは複数のディスク１１６ａ〜ｅおよび１つまたは複数のシート１１２ａ〜ｄを一体に保持し、それによりネック１０４を形成する。
【００４１】
[0051]いくつかの実装形態では、固定具が、セントラルピン５０２の代わりに、例えば図６に示されるように、チューブ６０２を有することができる。チューブ６０２が通路１１０内に挿入され得、それにより種々の構成要素を相互接続する。チューブ６０２が、シート、ディスク、ナット、および／またはプレートの１つまたは複数の開口部の各々に挿入され得、気体のための追加の通気孔としてさらには温度プローブを挿入するための場所として機能することができる。
【００４２】
[0052]方法／システムの例示の実施形態を説明的な形で開示してきた。したがって、全体を通して採用される用語は非限定的に読まれるべきである。本明細書の教示に対しての小さな変更を当業者であれば思い付くであろうが、本明細書の恩恵を受ける当技術分野の前進の範囲内に合理的に見てあるようなすべての実施形態がここの保証される特許の範囲に含まれることを意図されるものであること、ならびにこの範囲が添付の特許請求の範囲およびその均等物に照らすこと以外では限定されないこと、を理解されたい。
【図１Ａ】
2021529914.tif 000003
【図１Ｂ】
2021529914.tif 000004
【図２】
2021529914.tif 000005
【図３Ａ】
2021529914.tif 000006
【図３Ｂ】
2021529914.tif 000007
【図４】
2021529914.tif 000008
【図５】
2021529914.tif 000009
【図６】
2021529914.tif 000010
【国際調査報告】
2021529914.tif 000011
2021529914.tif 000012